【手続補正書】
【提出日】平成17年5月2日(2005.5.2)
【手続補正１】
【補正対象書類名】明細書
【補正対象項目名】特許請求の範囲
【補正方法】変更
【補正の内容】
【特許請求の範囲】    【請求項１】  第１ユーザーが製品注文を入力し、前記製品注文をサプライヤに伝達するために提供される通信ネットワークへの接続を有する第１通信装置と、  第２ユーザーが前記製品注文 を受信し、少なくとも一部の前記製品注文の完成した発送ラベルを生成するために提供される通信ネットワークへの接続を有する第２通信装置と、  前記第１通信装置のユーザー及び前記第２通信装置のユーザーへ前記受注及び注文処理ステータス情報へのネットワーク接続を提供する目的で、受注及び注文処理ステータス情報を格納する通信ネットワークデータベース  とからなることを特徴とする通信ネットワークにおいて製品注文 及び製品注文を伝達するための受注及びビジビリティ・システム。    【請求項２】前記第１通信装置は、前記第１ユーザーが前記製品注文に関する前進するステータス情報を受信し、前記完成した発送ラベルの生成により前記注文が発送された旨を伝える確認を受信するために更に提供することを特徴とする請求項１記載の受注及びビジビリティ・システム。    【請求項３】前記第２通信装置は、前記第２ユーザーが前記注文の前記ステータスを通信し、前記完成した発送ラベルの生成により前記第１ユーザーへ前記注文の前記発送を伝達するために更に提供することを特徴とする請求項１記載の受注及びビジビリティ・システム。    【請求項４】前記第２通信装置は、前記第２ユーザーが前記完成した発送ラベルの生成により、前記第１ユーザへの請求情報を伝達するために更に提供することを特徴とする請求項１記載の受注及びビジビリティ・システム。    【請求項５】ユーザーが前記製品のネットワーク上のサプライヤのために指摘された製品注文を入力し、前記サプライヤにより前記製品注文の処理が一旦初期化されると、製品注文ステータス情報を受信するために提供する通信ネットワークにおいて実行される製品受注及びビジビリティアプリケーションと、  前記ネットワーク上のサプライヤへ、前記受注アプリケーションから前記通信ネットワークを介して製品注文を伝達する手段と、  前記ネットワーク上のサプライヤの前記製品注文及び注文ステータスの特性への接続を提供し、前記製品注文の少なくとも一部の完成した発送ラベルを生成する前記通信ネットワークにおいて実行される注文プロセッシング及びビジビリティアプリケーション  とからなることを特徴とする通信ネットワークを介し、製品注文を通信し、処理し、ステータスするための製品受注及びビジビリティ・システム。    【請求項６】前記製品受注及びビジビリティアプリケーションは、互換性のあるインターネットブラウザ上で実行されるインターネットベースのウェブサイトアプリケーションを更に有することを特徴とする請求項５記載のシステム。    【請求項７】前記製品注文処理及びビジビリティアプリケーションは、互換性のあるインターネットブラウザ上で実行されるインターネットベースのウェブサイトアプリケーションを更に有することを特徴とする請求項５記載のシステム。    【請求項８】ネットワークアプリケーションを介してネットワークに接続された通信装置の中へ注文情報を入力することにより、買い手がサプライヤへ製品注文を出すことを可能とする手段と、  ���記製品注文を達成し、前記製品注文のための完成した発送ラベルを生成する目的において、ネットワークに接続された通信装置を介して前記ネットワークアプリケーションへ前記サプライヤが接続するのを可能にする手段と、  前記製品受注及びビジビリティ・システムが、前記製品注文の前記ステータスを管理し、前記買い手に迅速に製品注文状態情報を提供することを可能にする手段  とからなることを特徴とする通信装置を設備し、製品の買い手及び前記製品のサプライヤにより用いられる製品受注及びビジビリティ・システム。    【請求項９】少なくとも前記製品注文の一部の発送後、前記製品受注及びビジビリティ・システムが発送に関する情報を前記買い手に提供することを可能とする手段を更に有することを特徴とする請求項８記載のシステム。    【請求項１０】少なくとも前記製品注文の一部の発送後、前記製品受注 及びビジビリティ・システムが発送費を含む請求に関する情報を前記買い手に提供することを可能とする手段を更に有することを特徴とする請求項８記載のシステム。    【請求項１１】通信ネットワークへの接続を有する第１通信装置に製品受注アプリケーションを提供するステップと、  前記通信ネットワークとの通信においてデータベースに製品注文情報を格納するステップと、  通信ネットワークへの接続を有する第２通信装置に製品注文ビジビリティ アプリケーションを提供するステップと、  前記製品注文発送ラベルは格納された製品受注情報を構成し、少なくとも前記製品注文の一部の達成後、完成した製品注文の発送ラベルを生成するステップ  とからなることを特徴とする通信ネットワークにおいて受注, 注文ビジビリティ, 及び自動発送ラベル生成のためのステップを実行するために、前記機械により実行可能な命令のプログラムを明確に具現化する機械読み取り可能なプログラム記憶装置。    【請求項１２】前記命令のプログラムは、少なくとも前記製品注文の一部の達成後、発送状態情報を伝達するステップを更に有することを特徴とする請求項１１記載のプログラム記憶装置。    【請求項１３】前記命令のプログラムは、少なくとも前記製品の一部の達成後、請求情報を伝達するステップを更に有することを特徴とする請求項１１記載のプログラム記憶装置。    【請求項１４】通信ネットワークへの接続を有する第１通信装置に製品注文エントリーアプリケーションを提供するためのコンピュータ読み取り可能なプログラム手段と、  前記通信ネットワークにおける通信のデータベースに製品注文情報を格納するためのコンピュータ読み取り可能なプログラム手段と、  前記コミュニケーションネットワークを介して前記製品注文をサプライヤへ伝達するためのコンピュータ読み取り可能なプログラム手段と、  通信ネットワーク接続を有する第２通信装置へ製品注文 ビジビリティアプリケーションを提供するためのコンピュータ読み取り可能なプログラム手段と、  格納された製品受注情報により構成される前記製品注文発送ラベルにおいて、少なくとも前記製品注文の一部を達成した後、完成した製品注文発送ラベルを生成するためのコンピュータ読み取り可能なプログラム手段とからなることを特徴とし、  通信ネットワーク上において受注, 注文ビジビリティ, 及び自���発送ラベル生成を提供するために具現化されたコンピュータ読み取り可能なプログラムコードを有するコンピュータ使用可能な媒体を有することを特徴とする通信装置プログラム製品。    【請求項１５】前記コンピュータ使用可能な媒体は、  前記通信ネットワークを介して、少なくとも前記製品注文の一部の前記発送状態を伝達するためのコンピュータ読み取り可能なプログラム手段を更に有することを特徴とする請求項１４記載の製品。    【請求項１６】前記コンピュータ使用可能な媒体は、  前記通信ネットワークを介して、少なくとも前記製品注文の一部の前記発送後、発送費を含む請求に関する情報を伝達するためのコンピュータ読み取り可能なプログラム手段を更に有することを特徴とする請求項１４記載の製品。    【請求項１７】通信ネットワークへの接続を有する通信装置を介して受注からの製品注文及び前記通信ネットワーク上において実施されるビジビリティ・システムを受信するステップと、  少なくとも前記製品注文の一部を達成するステップと、  前記受注及び前記ビジビリティ・システムにおいて少なくとも前記製品注文の一部の達成をステータスするステップと、  前記受注及び前記ビジビリティ・システムにおいて、少なくとも前記製品注文の一部の達成をステータスすることにより生成される発送ラベルを用いて前記製品注文を発送するステップ  とからなることを特徴とする通信ネットワークにおいて製品注文を受信し製品注文を処理する方法。    【請求項１８】前記受注及び前記ビジビリティ・システムを介して製品注文ステータスを意図したネットワークでつながれた受取人に提供するステップを更に有することを特徴とする請求項１７記載の方法。    【請求項１９】前記通信ネットワークを介して、発送に関する情報を前記製品注文が置かれた前記エンティティへ提供するステップを更に有することを特徴とする請求項1７記載の方法。    【請求項２０】発送後、 前記通信ネットワークを介して、請求金額に関する情報を前記製品注文が置かれた前記エンティティへ提供するステップを更に有することを特徴とする請求項１７記載の方法。    【請求項２１】前記請求金額に関する情報とは、製品の値段及び発送費を含むことを特徴とする請求項２０記載の方法。    【請求項２２】前記受注及びビジビリティ・システムにより生成された発送ラベルを用いた前記製品注文を発送するステップは、前記受注及びビジビリティ・システムにより自己生成された完成した発送ラベルを用いて前記注文を発送するステップを更に有することを特徴とする請求項１７記載の方法。    【請求項２３】通信ネットワークへのアクセスを有する第１通信装置を介して、受注に対する製品注文及び通信ネットワーク上で実行されるビジビリティ・システムを出すステップと、  前記通信ネットワークを介して前記製品をサプライヤへ伝達するステップと、  通信ネットワークへのアクセスを有する第２通信装置を介して前記受注及びビジビリティ・システムから前記製品注文を受信するステップと、  前記製品注文の少なくとも一部を達成するステップと、  前記受注及びビジビリティ・システムへ製品注文の達成情報を提供するステップと、  前記受注及びビジビリティ・システムへ製品注文の達成情報を提���すると、前記受注及びビジビリティ・システムを介して、発送ラベルを生成するステップ  とからなることを特徴とする通信ネットワークにおける製品受注、製品注文ビジビリティ、及び製品注文処理のための方法。    【請求項２４】前記通信ネットワークを介して、前記製品注文を出した前記エンティティへ製品注文ステータス情報を伝達するステップを更に有することを特徴とする請求項２３記載の方法。    【請求項２５】前記製品注文を出した前記エンティティへ製品注文ステータス情報を伝達するステップは、前記受注及びビジビリティ・システムを介して伝達するステップを更に有することを特徴とする請求項２３記載の方法。    【請求項２６】前記通信ネットワークを介して、前記製品注文が出された前記エンティティへ発送確認及びトラッキング情報を伝達するステップを更に有することを特徴とする請求項２３記載の方法。    【請求項２７】発送すると、前記通信ネットワークを介して前記製品注文が置かれた前記エンティティへ請求に関する情報を伝達するステップを更に有することを特徴とする請求項２３記載の方法。    【請求項２８】前記請求に関する情報は、製品の値段及び発送費を含むことを特徴とする請求項２７記載の方法。    【請求項２９】通信ネットワークへの接続を有する第１通信装置を介して、前記通信ネットワーク上において実行される受注及びビジビリティ・システムを出すステップは、  前記第１通信装置において、前記受注及びビジビリティ・システムへ製品注文を手動で入力するステップを更に有することを特徴とする請求項２３記載の方法。    【請求項３０】通信ネットワークへの接続を有する第１通信装置を介して、前記通信ネットワーク上において実行される受注及びビジビリティ・システムを出すステップは、  製品注文を既存の受注システムから、通信ネットワークへの接続を有する第１通信装置において実行される受注及びビジビリティ・システムへ電子的に移動するステップを更に有することを特徴とする請求項２３記載の方法。    【請求項３１】受注データ及び前記受注データに関連する達成データを記憶する第１メモリ領域と、  前記受注データを第１コンピュータから受信して前記受注データを前記第１メモリ領域に転送する受注インターフェースと、  第２メモリ領域に存在し、前記第１メモリ領域に選択的にアクセスを提供するビジビリティ・モジュールと、  前記受注データにアクセスする要求を第２コンピュータから受信し、前記要求を前記ビジビリティ・モジュールに転送するサプライヤ・インターフェースとを有し、  前記第２コンピュータが前記受注データへのアクセスを認証されたという確認を前記ビジビリティ・モジュールから受信すると、前記サプライヤ・インターフェースは前記受注データを前記第１メモリ領域から読み出し、前記受注データを前記第２コンピュータへ転送するように構成され、前記サプライヤ・インターフェースはさらに前記達成データを前記第２コンピュータから受信し、前記達成データで前記第１メモリ領域を更新するように構成されていることを特徴とする受注及びビジビリティ装置。